(57)【特許請求の範囲】
【請求項１】
噴霧器用容器の上端部のマウントに嵌合されたカバー部と、前記容器本体の上端に突き出したノズルステムに挿嵌され、かつカバー部に揺動可能に枢支された操作部とからなり、前記操作部が操作レバー部と噴筒部を有しているトリガー式噴霧器用キャップにおいて、
前記噴霧器用容器がエアゾール式であり、前記噴筒部に一体又は別体で複数の孔又はノズルからなる噴射部材が、前記操作レバー部の前方で前記噴筒部より下方に配置されると共に、前記操作レバー部の前方で前記噴射部材と前記操作レバー部との間に指挿入用の操作空間が形成され、前記噴射部材の複数の孔又はノズルが縦配列であることを特徴とするトリガー式噴霧器用キャップ。
【発明の詳細な説明】
【０００１】
【発明の属する技術分野】
本発明は殺虫剤等の組成物を噴射するエアゾール式の噴霧器用容器に用いる噴霧器用キャップであって、トリガーと称せられる操作用の操作レバー部を有するいわゆるトリガー式噴霧器用キャップに関する。
【０００２】
【従来の技術】
近年、殺虫剤等の噴霧器のキャップとして、従来の押しボタン式に加えて、図７のようなトリガー式噴霧器が使用されるようになってきており、その使用場面も種々に渡っている。
図７及び図８に示したトリガー式噴霧器用キャップ２は、噴霧器用容器１０の容器本体１の上端に取り付けられている。噴霧器用キャップ２は操作部３とカバー部４とから構成されている。カバー部４は容器本体１の上端のマウント５に取り付けられ、操作部３は容器本体１の上端に突き出したノズルステム６に嵌挿され、カバー部４に揺動可能に枢支されている。
【０００３】
上記操作部３は、先端に噴霧オリフィス３８が嵌めこまれた噴口部３７を有し、バルブステム嵌挿部３５を下端に有する噴射液通路３６が穿設された噴筒部３１と、取付杆３３を端部に有する取付板３２と、噴筒部３１下部に設けられた操作レバー部３４等から構成されている。操作部３の取付板３２の先端の取付杆３３はカバー部４の後方のリブ４１の下端の保持切欠４２に保持されている。また、使用前の保管、運搬中に誤って操作部３が動かされることがないようにバージンシール７が装着されている。
そして、噴霧時に指先で操作レバー部３４を引金のように引くと操作部３全体は取付杆３３を中心として反時計方向に揺動する。この揺動によりノズルステム６を押し下げ、略水平方向に向いた噴口部３７から噴射液を所望の方向に噴射することができる。
【０００４】
なお、噴霧器の使用場所としては、単に空中に噴射したり、害虫に直接噴射したりする以外に、防虫の為あらかじめ網戸や、カーペット等の広い塗布面に至近距離から噴射することもある。特に網戸等に噴霧する場合は、通常、横方向にジグザグ状に上から下へ順次移動させながら噴霧するので、噴射孔が複数有った方が効率良く噴霧できる。
【０００５】
【発明が解決しようとする課題】
上述のような従来のトリガー式噴霧器用キャップにおいては、噴射孔が１個だったので使用場面が限られ、特に網戸等に噴霧する場合は効率良く噴霧できなかった。
また、トリガー式噴霧器用キャップにおける操作は操作レバー部を噴霧器の上下方向に対して、交差する方向に操作して噴射する為、操作部の前方に噴射部材を設けると、操作時に指先が噴射部材の噴射孔に触れ易くなり、使い勝手が良くなかった。
本発明は、前記課題に鑑みてなされたものであり、効率良く噴霧でき、操作時に使い勝手が良いトリガー式噴霧器用キャップを提供することを目的とする。
【０００６】
【課題を解決するための手段】
本発明に係わる上記課題は、噴霧器用容器の上端部のマウントに嵌合されたカバー部と、前記容器本体の上端に突き出したノズルステムに挿嵌され、かつカバー部に揺動可能に枢支された操作部とからなり、前記操作部が操作レバー部と噴筒部を有しているトリガー式噴霧器用キャップにおいて、
前記噴霧器用容器がエアゾール式であり、前記噴筒部に一体又は別体で複数の孔又はノズルからなる噴射部材が、前記操作レバー部の前方で前記噴筒部より下方に配置されると共に、前記操作レバー部の前方で前記噴射部材と前記操作レバー部との間に指挿入用の操作空間が形成され、前記噴射部材の複数の孔又はノズルが縦配列であることを特徴とするトリガー式噴霧器用キャップによって解決することができる。
【０００８】
上記構成のトリガー式噴霧器用キャップにおいては、噴射部材が噴筒部先端に一体又は別体で設けられ、少なくとも２個以上の噴射孔又は噴射ノズルが設けられ、操作レバー部の前方に指挿入用の操作空間が形成されているので、効率良く噴霧操作を行うことができ、操作時に使い勝手が良い。また、その噴射孔又は噴射ノズルが縦方向に配列されていることから、網戸等に噴霧する場合、横方向にジグザグ状に順次上から下へ移動させながら噴霧できるので、噴霧操作を一層効率良く行うことができる。
【０００９】
また、前記噴射部材が、前記噴筒部より下方に配置され、前記噴射部材と前記操作レバー部の間に指挿入用の空間が形成されることで、梱包性に優れ、操作時に指が噴射部材に邪魔されて挿入できなかったり、指先が噴射孔に触れるようなことはなく、極めて効率良く操作できると共に広角噴射を可能にすることができる。
【００１０】
なお、噴射部材が操作レバー部の前方に配置されるとは、噴射部材の下端が操作レバー部にかかっている程度から、操作レバー部の前方全面及びそれ以上まで噴射部材が配置されることを含むものである。
また、指挿入用の空間とは、操作レバー部を操作するために、噴射部材が実質的に邪魔にならず、指先が容易に噴射孔に触れるようなことがない操作空間のことである。
【００１１】
具体的な空間形成手段としては、噴射液の流路である噴筒部を長くするか、噴筒部の角度を上方に向けるか、操作レバー部の形状を変形させる等が考えられる。しかし、噴筒部が長過ぎると嵩張り、梱包性が良くなくなるので、噴筒部を伸縮自在にすることで、使用時に操作空間が形成されるように伸ばして使用すれば、コンパクトで操作性に優れた噴霧器用キャップを得ることができる。即ち、指挿入用の空間が使用時に確保できれば良く、操作レバー部を単に下方向に長くしたり、操作レバー部を使用時に変形できる形態にしても良い。
【００１２】
【発明の実施の形態】
以下、本発明のトリガー式噴霧器用キャップの実施形態を図１乃至図６に基づいて詳細に説明する。なお、本発明の実施形態の説明の前に、本発明の参考例を説明する。図１は本発明のトリガー式噴霧器用キャップの参考例を示す斜視図、図２は図１における側面図、図３は図１における正面図、図４は本発明のトリガー式噴霧器用キャップの実施形態を示す斜視図、図５は図４における側面図、図６は図４における正面図である。なお、上述した従来のトリガー式噴霧器用キャップと同一構成の部分については、説明を省略する。
【００１３】
先ず、本発明のトリガー式噴霧器用キャップの参考例を図１乃至図３に基づいて説明する。図１乃至図３に示すように本参考例のトリガー式噴霧器用キャップ５０は、容器本体の上端部に嵌合されるカバー部５２と、容器本体の上端に突き出したノズルステムに嵌挿され、カバー部５２に揺動可能に枢支されている操作部５１とから構成されている。前記操作部５１は、先端に不図示の噴口部を有する噴射液通路が穿設された噴筒部５４と、該噴筒部５４下方に設けられた操作レバー部５３と、該操作レバー部５３の前方に配置され、前記噴筒部５４先端に挿着される噴射部材５５から構成されている。
【００１４】
本参考例におけるトリガー式噴霧器用キャップ５０は、前記噴射部材５５が、前端面の上下方向に縦配列された４個の噴射孔５６を備えており、操作レバー部５３の前方に指挿入用の操作空間５７が形成されている。
【００１５】
そして、前記構成のトリガー式噴霧器用キャップ５０においては、噴霧時に指先で操作レバー部５３を引金のように引くことで、操作部５１全体が揺動して不図示のノズルステム（図８参照）を押し下げ、略水平方向に向いた噴射部材５５から噴射液を、特に縦方向の広範囲に噴射することができる。従って、網戸等に噴霧する場合は、横方向にジグザグ状に上から下へ順次移動させながら噴霧できるので、噴霧作業を効率良く行うことができる。
【００１６】
次に、本発明のトリガー式噴霧器用キャップの実施形態を図４乃至図６に基づいて説明する。図４乃至図６に示すように本実施形態のトリガー式噴霧器用キャップ６０は、容器本体の上端部に嵌合されるカバー部６２と、容器本体の上端に突き出したノズルステムに嵌挿され、カバー部６２に揺動可能に枢支されている操作部６１とから構成されている。この操作部６１は、噴射液通路が穿設された噴筒部６４と、該噴筒部６４下方に設けられた操作レバー部６３と、該操作レバー部６３の前方に配置され、前記噴筒部６４先端に挿着される噴射部材６５とから構成されている。
【００１７】
本実施形態におけるトリガー式噴霧器用キャップ６０は、噴射部材６５が前端面の上下方向に縦配列された４個の噴射孔６６を備えている。そして、この噴射孔６６が噴筒部６４より下方に配置され、換言すると噴射部材６５の上端面がキャップ天面と面一に形成されていると共に、噴射部材６５と操作レバー部６３の間に指挿入用の操作空間６７が形成されている。
【００１８】
そして、前記構成のトリガー式噴霧器用キャップ６０においては、噴霧時に指先で操作レバー部６３を引金のように引くことで、操作部６１全体が揺動して不図示のノズルステム（図８参照）を押し下げ、略水平方向に向いた噴射部材６５から噴射液を縦方向の広範囲に噴射することができる。
従って、特に網戸等の上部付近に噴霧する場合は、横方向にジグザグ状に上から下へ順次移動させながら噴霧できると共に、操作時に指が噴射部材６５に邪魔されて挿入できなかったり、指先が噴射孔６６に触れるようなことはなく、噴霧操作を極めて効率良く行うことができる。
【００１９】
また、搬送時や保管時の梱包性に優れ、さらには店頭等に陳列する際、嵩張らず、しかもカバー等を容易に被せることができるので取り扱い性が良い。なお、噴射部材６５は、さらに梱包し易くするために角度が変えられるように、例えば噴筒部６４部分で下方に折り曲げられるような構成にしても良い。
【００２０】
【発明の効果】
以上説明したように本発明のトリガー式噴霧器用キャップは、噴射部材が噴筒部先端に一体又は別体で設けられ、複数の孔又はノズルが設けられ、前記操作レバー部の前方で前記噴筒部より下方に配置され、操作レバー部の前方で前記噴射部材と前記操作レバー部との間に指挿入用の操作空間が形成されているので、効率良く噴霧操作を行うことができ、操作時に使い勝手が良い。
また、前記孔又はノズルが縦配列されていることから、網戸等に噴霧する場合、横方向にジグザグ状に順次上から下へ移動させながら噴霧できるので、噴霧操作を一層効率良く行うことができる。
【００２１】
また、前記噴射部材が噴筒部より下方に配置され、噴射部材と操作レバー部の間に指挿入用の空間が形成されることで、梱包性に優れ、操作時に指が噴射部材に邪魔されて挿入できなかったり、指先が噴射孔に触れるようなことはなく、極めて効率良く噴霧操作することができる。
【図面の簡単な説明】
【図１】  本発明のトリガー式噴霧器用キャップの参考例を示す斜視図である。
【図２】  図１における側面図である。
【図３】  図１における正面図である。
【図４】  本発明のトリガー式噴霧器用キャップの実施形態を示す斜視図である。
【図５】  図４における側面図である。
【図６】  図４における正面図である。
【図７】  噴霧器用容器の外観図である。
【図８】  図７におけるトリガー式噴霧器用キャップの拡大側面図である。
【符号の説明】
５０、６０  キャップ部
５１、６１  操作部
５２、６２  カバー部
５３、６３  操作レバー部
５４、６４  噴筒部
５５、６５  噴射部材
５６、６６  噴射孔
５７、６７  操作空間
【図１】
0004237321.tif 000002
【図２】
0004237321.tif 000003
【図３】
0004237321.tif 000004
【図４】
0004237321.tif 000005
【図５】
0004237321.tif 000006
【図６】
0004237321.tif 000007
【図７】
0004237321.tif 000008
【図８】
0004237321.tif 000009